(57)【要約】【目的】  軸方向の長さが短く、部品点数が少なく、構成が簡単で、安価なワイヤクランプを提供することを目的とする。【構成】  ワイヤ２が挿通される挿通孔３と、この挿通孔３に直角を除く所定の角度で交差する傾斜穴４が形成された本体１と、前記傾斜穴４内に、前記挿通孔３へ出退可能に挿入され、かつ、該挿通孔３内のワイヤ１に転接させる回転体５と、前記傾斜穴４内に配置され、前記回転体５を前記挿通孔４内のワイヤ２に押圧するスプリング１０とを備える。これにより、回転体５及びスプリング１０が挿通孔３の軸方向に並ばないので、本体１の軸方向の長さを短くできる。又、回転体５を本体１内で進退可能に保持する部材が不要になり、部品点数を削減でき、構成が簡単になり、安価にできる。【選択図】  図１
2007224957.tif 000002
【特許請求の範囲】
【請求項１】
ワイヤが挿入される挿入穴又はワイヤが挿通される挿通孔と、この挿入穴又は挿通孔に所定の角度で交差する傾斜穴が形成された本体と、前記傾斜穴内に、前記挿入穴又は挿通孔へ出退可能に挿入され、かつ、該挿入穴内又は挿通孔内のワイヤに転接させる回転体と、前記傾斜穴内に配置され、該回転体を前記挿入穴内又は挿通孔内のワイヤに押圧するスプリングとを備えることを特徴とするワイヤクランプ。
【請求項２】
前記傾斜穴の外側端部が本体外に開放され、前記回転体及びスプリングの組込み後に前記傾斜穴の外側端部に挿入されて該傾斜穴の外側端部を閉塞すると共に、前記スプリングを受止めて該スプリングの圧力を加減する栓体が設けられている請求項１に記載のワイヤクランプ。
【請求項３】
前記傾斜穴からの栓体の脱出を防止する脱出防止手段が設けられている請求項２に記載のワイヤクランプ。
【請求項４】
前記栓体が傾斜穴内で、前記回転体から前記スプリングの自由長よりも小さく、セット長よりも大きく離隔する位置に固定され、前記栓体に螺進退可能に挿通され、前記回転体をワイヤに食込むまで押込むボルトからなるロック具が設けられる請求項１又は２に記載のワイヤクランプ。
【請求項５】
前記回転体が円筒形又は鼓形に形成され、その周面に全周にわたって交互に連続する山部と谷部とが形成されている請求項１ないし４のいずれか１項に記載のワイヤクランプ。
【請求項６】
前記本体に、前記回転体をスプリングに抗して挿入穴から退出させるピンが挿入されるピン孔が形成されている請求項１ないし５のいずれか１項に記載のワイヤクランプ。
【発明の詳細な説明】
【技術分野】
【０００１】
本発明は、針金などの単線及び単線を撚り合せた撚線を含むワイヤ（以下、単にワイヤという。）を他物に連結したり、他物に連結されたワイヤを緊張させたりするワイヤクランプに関する。
【背景技術】
【０００２】
例えば後掲する特許文献１に開示されているように、ワイヤを他物に連結するワイヤ固定具や、他物に連結されたワイヤを緊張させるワイヤ緊張具はワイヤが挿入又は挿通される中空体からなる本体（ケース）内に、円錐面を形成し、この円錐面とワイヤの間に挟み込む球形の回転体をスプリングで前記円錐面の軸方向に付勢するように構成されている。
【特許文献１】特開２００１−１４０９９２号公報
【発明の開示】
【発明が解決しようとする課題】
【０００３】
この特許文献１に開示された従来技術によれば、円錐面とスプリングが同軸方向に並べられるので、円錐面の軸方向に長くなるという問題がある。
又、前記回転体を保持する部材が必要になり、部品点数が多くなると共に、構造が複雑になり、コスト高になるという問題もある。
本発明は、これらの従来技術の問題を解決し、軸方向の長さが短く、部品点数が少なく、構成が簡単で、安価なワイヤクランプを提供することを目的とする。
【課題を解決するための手段】
【０００４】
この目的を達成するため、本発明は、ワイヤが挿入される挿入穴又はワイヤが挿通される挿通孔と、この挿入穴又は挿通孔に直角を除く所定の角度で突当る傾斜穴とが形成された本体と、前記傾斜穴内に、前記挿入穴又は挿通孔へ出退可能に挿入され、かつ、該挿入穴内又は挿通孔内のワイヤに転接させる回転体と、前記傾斜穴内又は挿通孔内に配置され、該回転体を前記挿入穴内又は挿通孔内のワイヤに押圧するスプリングを備えることを特徴とする、との技術的手段を採用する。
【０００５】
本発明によれば、ワイヤを前記挿入穴内又は挿通孔内に、この挿入穴又は挿通孔と傾斜穴の挟角が鈍角である方向から鋭角である方向にワイヤを差込むと、ワイヤが前記回転体をスプリングに抗して傾斜穴内に押込め、前記回転体を案内にして、挿入穴の内周面又は挿通孔の内周面と回転体の外周面の間に挟込まれる。
【０００６】
回転体が挿入穴又は挿通孔の内周面とワイヤの間に挟込まれた後、前記挿入穴内又は挿通孔内のワイヤを挿入穴又は挿通孔と傾斜穴の挟角が鈍角になる方向から鋭角になる方向に移動させると、回転体が前記スプリングに抗して傾斜穴内に押込められ、ワイヤを自由に移動させることができる。
【０００７】
回転体が挿入穴又は挿通孔の内周面とワイヤの間に挟込まれた後、逆に、ワイヤを挿入穴又は挿通孔と傾斜穴の挟角が鋭角である方向から鈍角である方向に移動させようとすると、ワイヤが回転体を挿入穴又は挿通孔の内周面と傾斜穴の内周面の間に引込み、回転体が前記ワイヤと傾斜穴の内周面の間に食い込んでワイヤの移動を禁止する。
【０００８】
又、本発明によれば、前記傾斜穴が前記挿入穴に所定の角度で突当るように形成されているので、本体を挿入穴の軸方向に短く形成することができる。
【０００９】
更に、本発明によれば、回転体が本体に保持され、本体内で回転体を保持する部材が不要になるので、ワイヤチャックの部品点数が少なくなり、構成が簡単になり、安価になる。
以下、本発明を更に詳細に説明する。
【００１０】
本発明において、挿入穴とは一端が本体の表面に開放され、他端が閉塞された穴であり、挿通孔とは本体を貫通し、その両端が本体の表面から外側に開放されている貫通孔である。
【００１１】
もちろん、この挿入穴の穴径又は挿通孔の孔径は、これに挿入又は挿通するワイヤの外径と同等以上であればよく、又、その横断面の形状は、特に限定されず、例えば円形、正六角形などの多角形などであればよい。
【００１２】
この挿入穴又は挿通孔は例えば丸穴又は丸孔など軸方向に断面形状及び内径が一様な穴又は孔であってもよいが、例えばネジ穴又はネジ孔など軸方向に山と谷が交互に連続する穴又は孔にして、前記回転体を介してスプリングで押圧されたワイヤが挿入穴又は挿通孔の内周面に食込み易くなるようにしてもよい。
【００１３】
本発明の本体に形成される傾斜穴は、前記挿入穴又は挿通孔に直角を除く所定の角度で突当る直線穴に形成され、又、その挿入穴側の端部の横断断面形状は前記回転体を回転可能に、かつ、この傾斜穴から挿入穴に出没可能に収納できる形状に形成される。
【００１４】
前記傾斜穴の挿入穴と反対側の端部（以下、外側端部という。）は閉塞されていてもよいが、前記回転体及びスプリングの組込みを容易にするために、本体外に開放されていることが好ましい。
【００１５】
傾斜穴の外側端部が本体外に開放されている場合には、前記回転体及びスプリングを本体内に組込んだ後、この傾斜穴の外側端部に該傾斜穴の外側端部を閉塞する栓体が挿入される。
【００１６】
この栓体は、特に限定されないが、前記スプリングを受止めて、該栓体の傾斜穴への挿入量を加減することにより、該スプリングの圧力を加減できるようにすることができる。
【００１７】
このスプリングの圧力は、段階的に加減できるようにしてもよいが、前記栓体に傾斜穴に螺合されるネジ部を設け、栓体を螺進退させて栓体の挿入量を連続的に加減することによりスプリングの圧力を連続的に加減できるようにすることが好ましい。
【００１８】
又、スプリングの圧力は、例えば、栓体が傾斜穴内で栓体と回転体の距離がスプリングの自然長からセット長の範囲で進退するように栓体を設けて、０から該スプリングがセットするときの前圧力の範囲内で自由に設定することができる。
【００１９】
ここで、スプリングの耐久性を高めるという観点からは、栓体が傾斜穴内で栓体と回転体の距離がスプリングの自然長からセット長よりも長い距離の範囲で進退するように栓体を設け、最も栓体を締め込んだ状態でスプリングに幾分縮み代が残されるようにすることが好ましい。
【００２０】
しかし、栓体が傾斜穴内で栓体と回転体の距離がスプリングの自然長からセット長よりも長い距離の範囲で進退するように栓体を設ける場合には、栓体を最も深く傾斜穴に挿入してもスプリングの縮み代が残され、ワイヤの振動によりワイヤが挿入穴又は挿通孔内で移動するおそれが生じる。
【００２１】
そこで、この場合には、例えば、前記栓体に、該栓体から回転体に向かって突出するロック部を設け、ワイヤの固定位置調整時には、栓体及びロック部をロック部が回転体から離隔するまで傾斜穴の口側に移動させ、スプリングの圧力のみで回転体をワイヤに押圧し、又、ワイヤの固定位置調整後に栓体及びロック部を傾斜穴の奥に移動させて、ロック部で回転体をワイヤに食込ませてワイヤを機械的にロックすることが好ましい。
【００２２】
又、スプリングの耐久性を高めるという観点に加えて、操作性を高めるという観点を考慮に入れると、スプリングに幾分縮み代が残される位置に栓体を固定し、ワイヤの挿入時に栓体の位置調節が不要になるようにすることが好ましい。
【００２３】
このために、本発明においては、好ましくは、前記栓体が傾斜穴内で、前記回転体から前記スプリングのセット長よりも大きく離隔する位置に固定され、前記栓体に該栓体に螺進退可能に挿通され、前記回転体をワイヤに食込むまで押込むボルトからなるロック具を設ける構成が採用される。
【００２４】
この構成によれば、栓体が固定されているので、スプリングの圧力が一定に保持され、スプリングをセットさせてワイヤを固定する場合に比べてワイヤの耐久性を高めることができると共に、ワイヤの挿入前に栓体の位置を調整する必要がなくなり、操作性が高められる。
【００２５】
又、この構成によれば、ワイヤの固定位置調整後に前記ロック具を螺締して回転体をワイヤに噛み込ませることにより、ワイヤを機械的にロックでき、振動により固定位置が変動することを防止することができる。
【００２６】
ところで、開放された傾斜穴の外側端部を閉塞する栓体を設ける場合には、この栓体が傾斜穴から脱出して紛失するおそれが生じる。
【００２７】
そこで、前記傾斜穴の外側端部が本体外に開放され、前記回転体及びスプリングの組込み後に該傾斜穴の外側端部に挿入されて該傾斜穴の外側端部を閉塞する栓体が設けられる場合には、必要に応じて、この栓体が傾斜穴から脱出することを防止する脱出防止手段が設けられる。
【００２８】
この脱出防止手段は、傾斜穴の外側端部に挿入された栓体の傾斜穴の外側端部からの脱出を防止できるようにしてあればよく、例えば栓体のネジ部の軸方向外側にネジ部よりも小径の軸部を設け、この軸部が挿通され、ネジ部よりも小径の孔又はネジ部の径よりも小幅の溝を有し、前記本体に固定される板部材を備えるものを挙げることができる。
【００２９】
上述したように、栓体に該栓体と同軸方向に螺進退可能に挿通され、前記回転体をワイヤに食込ませて機械的にロックするロック具を設ける場合には、このロック具が栓体及び傾斜穴から脱出することを防止する脱出防止手段を設けることが好ましく、又、必要に応じて、このロック具がワイヤを機械的にロックする位置から栓体の方向に緩解することを防止する緩解防止手段を設けることが好ましい。
【００３０】
ところで、前記回転体は、傾斜穴の軸心及び挿入穴又は挿通孔の径に直角な軸心と平行な回転軸心を中心軸とする回転体であればよく、球形、楕円球形、樽形、円筒形、鼓形などの回転体形に形成され、前記傾斜穴内に、前記挿入穴へ出退可能に挿入され、かつ、該挿入穴内のワイヤに転接させる。
【００３１】
ここで、樽形とは回転軸心の軸心方向両端部よりも中央部が大径に形成された回転体形を意味し、鼓形とは回転軸心の軸心方向両端部よりも中央部が小径に形成された回転体形を意味する。又、円筒形には、回転軸心の軸心方向の全長にわたって半径が一様な回転体形のみならず、一端側よりも他端側に向かって径が増大又は減少する回転体（テーパーローラ）も含まれる。
【００３２】
なお、前記回転体は、正六角柱形、正八角柱形、或いはこれよりも多角の多角柱形に形成したものであってもよい。
【００３３】
この回転体の半径は、該回転体の周面によって、挿入穴に挿入されたワイヤがスプリング側に突入することを防止できる程度に大きければよく、例えば回転体の半径を挿通穴の半径と同等以上に設定すれば、挿入穴に挿入されたワイヤの先端を確実にスプリングと反対側の回転体と挿入穴の内周面の間に円滑に案内することができる。
【００３４】
ワイヤは、挿入穴と傾斜穴の挟角が鈍角になる方向から挿入穴に挿入され、その先端がスプリングに抗して回転体を傾斜穴に押し込めながら回転体と挿入穴の内周面の間に突き進められ、やがて、回転体を乗り越える。
【００３５】
この後、ワイヤを更に差し込み方向と同方向、即ち、挿入穴と傾斜穴の挟角が鈍角である方向から鋭角である方向に差し込むと、ワイヤが回転体をスプリングに抗して傾斜穴に押し込めながら回転させるので、ワイヤは自由に差し込むことができる。
【００３６】
ワイヤの先端が回転体を乗り越えた後に、ワイヤを差し込み方向と反対方向に引くと、即ち、挿入穴と傾斜穴の挟角が鋭角である方向から鈍角である方向にワイヤを引くと、回転体がワイヤと傾斜穴の内周面の間に食い込み、ワイヤが回転体及び本体に固定される。
【００３７】
ここで、回転体の形状としては、球形、楕円球形、樽形など軸方向中央部が拡径されている回転体形を選択してもよいが、軸方向に径が一様な円筒形の回転体を用いると、ワイヤと回転体が馴染み易くなり、回転体のワイヤへの食い込みが確実になり、又、回転体の形状が簡単で安価に製造できるので最も好ましい。
【００３８】
回転体の形状を軸方向中央部が縮径されている鼓形の回転体を選択すると、回転体の形状は円筒形よりも複雑になるが、ワイヤと回転体が一層馴染み易くなり、回転体のワイヤへの食い込みが一層確実になるので、クランプ能力を高めるという観点からは最も好ましい。
【００３９】
又、回転体の周面は、円滑に連続する球面、楕円球面、樽形面、円筒面、鼓形面、或いは平滑な平面が連続する多角柱面に形成してもよいが、その周面に全周にわたって交互に連続する山部と谷部とが形成されている場合には、ワイヤと回転体が互いに噛合うようにして、又、回転体と傾斜穴の内周面が互いに噛合うようにして、回転体がワイヤと傾斜穴の内周面の間に食い込むので、ワイヤの滑りが確実に防止され、ワイヤを回転体及び本体に確実に固定できるようになる。
【００４０】
回転体の周面の全周にわたって交互に連続する山部と谷部を形成する方法は特に限定されず、例えばローリング加工、セレーション加工、歯切加工、鋳造、鍛造など任意の方法を選択すればよい。
【００４１】
回転体の表面硬度は、ワイヤの表面硬度及び本体の表面硬度を考慮して適宜設計され、例えばステンレスワイヤの場合には、回転体の周囲部をステンレスよりも表面硬度が高い超硬合金、セラミックスなどで形成することが好ましい。
【００４２】
回転体の中心部の材質は、該回転体の周囲部と同質であっても、異質であってもよく、例えば合成樹脂、亜鉛合金、鉄、鋼、超硬合金などの金属、セラミックスなどを用いることができる。
【００４３】
ところで、本発明において、挿入穴又は挿通孔に差し込まれ、回転体と挿入穴又は挿通孔の内周面の間に挟まれて固定されているワイヤを差込方向と反対方向に引き抜くことができるようにする場合には、前記回転体をスプリングに抗して傾斜穴に退入させ、回転体と挿入穴の内周面の間隔をワイヤの径よりも大きくし、ワイヤと回転体の間、及び／又はワイヤと挿入穴又は挿通孔の内周面の間に隙間を形成する必要がある。
【００４４】
このため、本発明においては、必要に応じて、前記本体に、前記回転体をスプリングに抗して挿入穴から退出させるピンが挿入されるピン孔を形成し、このピン孔に差し込んだピンで前記回転体をスプリングに抗して挿入穴から退出させる構成が採用される。
【００４５】
なお、前記本体の外形は、特に限定されず、必要に応じて、該本体を他物に連結するための雄ネジ、雌ネジ、フランジなどの取付部が設けられ、特に、この取付部が雄ネジ、雌ネジなどのネジで構成される場合には、必要に応じて、本体にレンチ、スパナなどの工具を適合させる工具装着部や、手指で摘む摘みが設けられる。
【００４６】
又、本体の材質は、特に限定されず、例えば合成樹脂や、亜鉛合金、アルミ合金、銅、真鍮、青銅、鉄、ステンレス鋼を含む鋼などの金属を用いればよい。
【発明の効果】
【００４７】
以上に説明したように、本発明のワイヤクランプは、ワイヤが挿入又は挿通される挿入穴と、この挿入穴に所定の角度で交差する傾斜穴とが形成された本体と、前記傾斜穴内に、前記挿入穴へ出退可能に挿入され、かつ、該挿入穴内のワイヤに転接させる回転体と、前記傾斜穴内に配置され、該回転体を前記挿入穴内のワイヤに押圧するスプリングとを備えることを特徴とする、との技術的手段を採用するので、以下の効を奏する。
【００４８】
先ず、回転体とスプリングが挿入穴の軸方向に並ばず、挿入穴と交差する方向に並べられるので、挿入穴の軸方向の寸法を短くすることができる、との効を奏する。
【００４９】
次に、回転体が本体に形成された傾斜穴内に配置され、本体そのものに直接保持されているので、回転体を保持して挿入穴の軸方向に移動する部材が不要になり、部品点数を削減でき、構成が簡単になり、安価になる、との効を奏する。
【発明を実施するための最良の形態】
【００５０】
以下、本発明に係るワイヤチャックのいくつかの実施例を図面に基づいて具体的に説明するが、本発明はこの実施例に限定されるものではない。
【００５１】
図１は、本発明の一実施例に係るワイヤチャックをその挿通孔の中心線及び傾斜穴の中心線に沿って縦断した縦断正面図である。
【００５２】
図１に示された本発明の一実施例に係るワイヤチャックの本体１は、亜鉛合金を鋳造したものであり、その内部にワイヤ２が挿通される挿入孔３と、この挿入孔３に直角を除く所定の角度、例えば約３０°で突当る直線穴からなる傾斜穴４が形成されている。
【００５３】
この傾斜穴４の挿入孔３側の部分には円筒形の回転体５が、該傾斜穴４の軸方向に移動可能に、かつ、前記挿入孔３に挿入されたワイヤ２に転接可能に挿入されている。
【００５４】
図２の斜視図に示すように、前記回転体５は、その外形形状に因んでギヤーと通称されていて、例えば合成樹脂からなる中心部６と、その周囲に形成されたセラミックス製の周囲部７とを備え、この周囲部７の外周面には、全周にわたって交互に等間隔で連続する山部８と谷部９が形成されている。
【００５５】
もちろん、中心部６の材質は、合成樹脂に限られず、適用されるワイヤ２の材質を考慮して、例えば周囲部７と同質又は異質のセラミックス、金属、木などを用いてもよい。
【００５６】
又、周囲部７の材質も、特に限定されず、適用されるワイヤ２の材質を考慮して、例えば金属、合成樹脂などを用いてもよい。
【００５７】
ただし、周囲部７の材質は、使用されるワイヤ２と表面硬度が同等又はそれよりも高い材質であることが推奨される。
【００５８】
なお、ここでは中心部６と周囲部７が異質であるが、回転体５はこれらが同材質の、いわゆる、ムクのものであってもよい。
【００５９】
この実施例に係る回転体５は、例えば中心部６を鋳型の中に配置して、セラミックスを溶媒に配合した溶液を鋳型に加圧注入し、加圧しながら中心部６の周囲にセラミックスを凝固させて周囲部７を形成するという方法で製造される。
【００６０】
本発明の回転体５の各山部８の形状は、特に限定されず、ここでは三角山形に形成しているが、台形山形、矩形山形、半円山形を含む弦月山形、楕円山形、歯車に用いる標準歯形、インボリュート歯形、オフセット歯型などの歯形に形成してもよい。
【００６１】
又、各谷部９の形状も、同様に特に限定されず、ここではＶ字谷形に形成しているが、U字谷形、台形谷形、歯車の歯谷形など任意の谷形を採用することが可能である。
【００６２】
又、この回転体５の半径は、特に限定されないが、ここでは、該回転体５の周面によって、挿通孔３に挿入されたワイヤ２が後述するスプリング１０側に突入することを確実に防止するために、回転体５の半径を挿通孔３の半径と同等に設定している。
【００６３】
図１に示すように、前記傾斜穴４の挿通孔３と反対側の外側端部は本体１の外側に開放され、この開放された外側端部から前記回転体５とスプリング１０が順次挿入される。
【００６４】
この後、該傾斜穴４の外側端部にネジ部１１を備える栓体１２を螺合して該傾斜穴４の外側端部を閉塞する。
【００６５】
このネジ部１１の軸方向内側には前記スプリング１０を受止めるバネ座１３が形成され、このバネ座１３に受止めた前記スプリング１０をこの栓体１２を螺旋回して螺進退させることにより、自然長とセット長の間で伸縮させ、該スプリング１０の圧力（付勢力）を０と最大圧力（セット圧）の間で加減できるようにしている。
【００６６】
この栓体１２は前記ネジ部１１と同軸心に、該ネジ部１１の外側に順次連設された軸部１４及び摘み１５を備え、この摘み１５を手指で摘んで該栓体１０をねじ回す。
【００６７】
なお、この摘み１５の表面には、必要に応じて、ローリング加工、セレーション加工などの滑り止め加工が施される。
【００６８】
又、図１においては、スプリング１０がセットした状態が示され、スプリング１０がセットする時に前記栓体１２の先端が回転体５に当接し、回転体５をワイヤ２に食込ませるようにしているが、この実施例において、スプリング１０のセット時に栓体１２が回転体５に当接することは必須のことではない。
【００６９】
図１の縦断正面図及び図３の分解斜視図に示すように、前記栓体１２は、この栓体１２を前記傾斜穴４から脱出することを防止する脱出防止手段１６の板部材１７を組付けた後、この板部材１７と共に前記本体１に組付けられる。
【００７０】
前記本体１は、この本体１を他物に取付けるための雄ネジを形成した取付部１８と、この本体１を他物に取付ける際に使用するスパナ、レンチなどの工具を装着する六角頭状の工具装着部１９を備える六角ボルト状に形成されている。
【００７１】
前記挿通孔３はこのボルト状の本体１の軸心を貫通するように形成され、前記傾斜穴４は工具装着部１９の頂部面取面２０に直交するように形成されている。
【００７２】
工具装着部１９の頂部面取面２０に連続する工具装着面２１と、工具装着部１９の底面２２には、前記板部材１７がはめ込まれる装着溝２３が形成され、又、工具装着部１９の頂面２４と底面２２には前記板部材１７が嵌め込まれる係合溝２５、２６が形成される。
【００７３】
図４の斜視図に示すように、前記板部材１７は、前記頂部面取面２０に沿う傾斜面２７と、この傾斜面２７の下縁に連続し、工具装着面２１の装着溝２３に嵌め込まれる側面２８と、この側面２８の下縁に連続し、工具装着部９の底面２２に形成された装着溝２３に嵌合される底面２９と、前記傾斜面２７の上縁に連続し、前記頂面２４に形成された係合溝２５に嵌合される係合部３０と、前記底面２２に連続して前記工具装着部１９の底面２２に形成された係合溝２６に嵌合される係合部３１を備える。
【００７４】
又、前記板部材１７は、前記傾斜面２７と側面２８にわたって軸部挿通溝３２が、前記側面２８にこの軸部挿通溝３２に順次連続するネジ部挿通溝３３とバネ座挿通部３４が形成されている。
【００７５】
前記軸部挿通溝３２は、前記軸部１４の直径よりも広幅に、かつ、前記ネジ部１１よりも細幅に形成され、前記ネジ部挿通溝３３はネジ部１１よりも広幅に、かつ、ネジ部１１の軸方向の長さより高く形成されている。
【００７６】
前記バネ座挿通溝３４は、ネジ部挿通溝３３から傾斜面２８の下方にネジ部１１を挿抜する時にバネ座１３が支障なく板部材１７を通過できる形状及び大きさを備えている。
【００７７】
前記回転体５とスプリング１０を傾斜穴４に挿入した後、板部材１７に組付けた栓体１２を前記傾斜穴４の外側端部に螺合し、更にこの後、場合によっては栓体１２を傾斜穴４に挿入し、該傾斜穴４に螺合する前に、板部材１７の係合部３０、３１を本体１の係合溝２５、２６に嵌め込む。
【００７８】
これにより、板部材１７が本体１に固定され、前記栓体１２の螺進退できる範囲が、スプリング１０がセットし、回転体５がワイヤ２に強く食い込むセット位置と、ネジ部１１が板部材１７の傾斜面２７に受止められ、ワイヤ２に回転体５が当接する圧力が０になるフリー位置との間に限定され、栓体１２が傾斜穴４から脱出することが防止される。
【００７９】
ところで、図１に示すように、この実施例においては、必要に応じて、前記本体１の挿通孔３と傾斜穴４の挟角が鈍角になる側、即ち、取付部１８側の端面から、前記挿通孔３と平行に前記傾斜穴４に貫通するピン穴３５が形成され、このピン穴３５に差込んだピン３６により、前記回転体５をスプリング１０に抗して挿通孔３から退出させることができるようにしている。
【００８０】
このピン穴３５に前記ピン３６を差込み、回転体５を挿通孔３から傾斜穴４内に退出させることにより、挿通孔３の内周面と回転体５の間にワイヤ２の径よりも大きい間隙を開き、ワイヤ２をその軸方向の双方向に自由に移動させることができるようになる。
【００８１】
以上に説明したように、この実施例によれば、前記挿通孔３に、該挿通孔３と傾斜穴４との挟角が鈍角である方向から鋭角である方向にワイヤ２を差し込むと、ワイヤ２が、スプリング１０に抗して回転体５を傾斜穴４に押込み、回転体４を回転させながら、或いは回転体４の表面を滑りながら、挿通孔３内を自由に突き進むことができる。
【００８２】
これに対して、ワイヤ２が回転体５よりも挿通孔３の奥に差し込まれた後、逆方向、即ち、挿通孔３と傾斜穴４との挟角が鋭角である方向から鈍角である方向にワイヤ２を引き抜こうとすると、回転体５がワイヤ２と傾斜穴４の内周面の間に食い込み、ワイヤ２が回転体５及び本体１に固定される。
【００８３】
又、この実施例によれば、前記傾斜穴４が前記挿通孔３に直角を除く所定の角度で突当るように形成されているので、本体１を挿通孔３の軸方向に短く形成することができる。
【００８４】
更に、この実施例によれば、回転体５が本体１に保持され、本体１内で回転体５を保持する部材が不要になるので、ワイヤチャックの部品点数が少なくなり、構成が簡単になり、安価になる。
【００８５】
又更に、この実施例によれば、前記傾斜穴４の外側端部が本体１外に開放され、前記回転体５及びスプリング１０の組込み後に前記傾斜穴４の外側端部に挿入されて該傾斜穴４の外側端部を閉塞すると共に、前記スプリング１０を受け止めて該スプリング１０の圧力を加減する栓体１２が設けられているので、回転体５及びスプリング１０の組込みが容易になり、製造コストを削減できると共に、栓体１２の螺進退操作により容易にスプリング１０の圧力を調整できる。
【００８６】
更に、この実施例によれば、前記傾斜穴４から緩解方向にねじ回される前記栓体１２を所定の位置で牽制する脱出防止手段１６が設けられているので、栓体１２が傾斜穴４から脱出することを確実に防止でき、栓体１２の傾斜穴４からの脱出による紛失を確実に防止することができる。
【００８７】
加えて、この実施例によれば、前記回転体５が円筒形に形成され、その周面に全周にわたって交互に連続する山部８と谷部９が形成されているので、回転体５がワイヤ２及び傾斜穴４の内周面に食い込ませてワイヤ２の滑りを防止し、確実にワイヤ２を回転体5及び本体１に固定できる。
【００８８】
更に加えて、この実施例によれば、前記本体１に、前記回転体５をスプリング１０に抗して挿通孔３から退出させるピン３６を挿入するピン孔３５が形成されているので、このピン孔３５にピン３６を差込み、前記回転体５をスプリング１０に抗して挿通孔３から退出させることにより、ワイヤ２をその軸方向の双方向に自由に抜差しできるようになる。
【００８９】
図５は、本発明の他の実施例に係るワイヤチャックをその挿通孔の中心線及び傾斜穴の中心線に沿って縦断した縦断正面図である。
【００９０】
このワイヤチャックにおいては、前記栓体１２から回転体５に向かってロック部３７が連出されている。
【００９１】
このロック部３７のバネ座１３から先端面までの長さは、前記スプリング１０の自然長よりも短く、セット長よりも長くしてある。
【００９２】
これにより、栓体１２を締め込むと、スプリング１０がセットする前にロック部３７が回転体５に当接し、更に栓体１２を締め込むことにより、前記スプリング１０をセットさせることなく、回転体５がワイヤ２に食込むまで挿通孔３に押込まれる。
【００９３】
このように、栓体１２で回転体５を押してワイヤ２に食込ませると、ワイヤ２は機械的に回転体５及び本体１にロックされ、振動により回転体５の圧力が緩んでワイヤ２の位置がずれることを確実に防止できるようになる。
【００９４】
なお、回転体５を押している栓体１２の振動による螺緩は、ロック部３７と回転体５の摩擦ないしロック部３７の回転体５への食い込みにより防止されるが、この実施例では、必要に応じて、栓体１２の緩解を防止する緩解防止手段が設けられている。
【００９５】
この実施例においては、部品点数を増加させないように、前記脱出防止手段１６が緩解防止手段に兼用されるようにしている。
【００９６】
即ち、前記脱出防止手段１６がバネ板で構成されると共に、この脱出防止手段１６の形状が、締め込んだ栓体１２をその軸方向に例えば外向きに付勢する形状、例えば該脱出防止手段１６の傾斜面２７（図４参照。）を外側に弓なりに膨らむように湾曲させた形状に形成される。
【００９７】
栓体１２を回転体５がワイヤ２を機械的にロックするまで閉め込むと、前記傾斜面２７が膨らみが小さくなる方向に弾性変形し、締め込んだ栓体１２をその軸方向に例えば外向きに付勢するようになり、この脱出防止手段１６の付勢力により締め込まれた栓体１２の回転に対する摩擦抵抗が増大し、栓体１２の螺解が防止される。
【００９８】
なお、これに代えて、前記脱出防止手段１６の傾斜面の外側で前記軸部１４に外嵌されたバネワッシャからなる脱出防止手段を設けてもよい。
【００９９】
この実施例のその他の構成、作用ないし効果は前記本発明の一実施例のそれらと同様であり、前記本発明の一実施例の各部分に対応するこの実施例の各部分には同じ名称が付され、図５において同じ符号を付して示している。
【０１００】
図６は、本発明の又他の実施例に係るワイヤチャックをその挿通孔の中心線及び傾斜穴の中心線に沿って縦断した縦断正面図であり、図７はその分解斜視図である。
【０１０１】
図６と図７に示されたワイヤチャックにおいては、前記栓体１２に該栓体１２と同軸心方向に螺進退可能に挿通して前記回転体５に接離させるボルトからなるロック具３８が設けられる。
【０１０２】
前記栓体１２の外周面にはその軸方向の全長にわたってネジ部１１が形成され、該栓体１２の内側端面がスプリング１０の外側端部を受止めるバネ座１３となっている。
【０１０３】
又、この栓体１２の軸部１４は省略され、摘み１５の代わりに栓体１２の外側端面に例えばドライバの爪先を適合させる工具適合用溝３９が形成される。
【０１０４】
この栓体１２を傾斜穴４内の所定の位置まで螺入して固定することにより、スプリング１０の圧力がワイヤ２の挿入に最適値に保持される。
【０１０５】
これにより、ワイヤ２の挿入前に栓体１２をねじ回してスプリング１０の圧力を調整する必要がなくなり、操作性が高められると共に、栓体１２、スプリング１０、回転体５などが傾斜穴４から脱出したり、傾斜穴４から脱出した栓体１２、スプリング１０、回転体５などが紛失されたりすることが防止される。
【０１０６】
前記ロック具３８は、ワイヤ２の固定位置を調整する時には、栓体１２から脱出しない程度に緩解して、その先端が回転体５から離隔し、回転体５がスプリング１０の圧力のみによりワイヤ２に押圧されるようにする。
【０１０７】
なお、このロック具３８の栓体１２ないし本体１からの脱出は、前記本発明の一実施例において栓体１２の脱出を防止する手法と同様の手法で防止することができる。
【０１０８】
ワイヤ２の固定位置が調整された後、前記ロック具３８を螺締し、該ロック具３８で前記回転体５をワイヤ２に押付けると、回転体５がワイヤ２に食込み、ワイヤ２が回転体５及び本体１に機械的にロックされる。
【０１０９】
ワイヤ２がロックされた後に振動によりロック具３８が緩解することは、回転体５とロック具３８の摩擦ないしロック具３８の回転体５への食込みにより防止されるが、例えば、このロック具３８に栓体１２及び本体１の外側で螺合される緩み止め用ナットなどからなる緩解防止手段４０を設け、この緩解防止手段４０を締め付けることによりロック具３８の緩解を一層確実に防止するようにしてもよい。
【０１１０】
この実施例のその他の構成、作用ないし効果は前記本発明の一実施例のそれらと同様であり、前記本発明の一実施例の各部分に対応するこの実施例の各部分には同じ名称が付され、図６において同じ符号を付して示している。
【図面の簡単な説明】
【０１１１】
【図１】図1は、本発明の縦断正面図である。
【図２】図2は、本発明の回転体の斜視図である。
【図３】図3は、本発明の分解斜視図である。
【図４】図4は、本発明の脱出防止手段の板部材の斜視図である。
【図５】図５は、本発明の縦断正面図である。
【図６】図６は、本発明の縦断正面図である。
【図７】図７は、本発明の分解斜視図である。
【符号の説明】
【０１１２】
１    本体
２    ワイヤ
３    貫通孔
４    傾斜穴
５    回転体
６    中心部
７    周囲部
８    山部
９    谷部
１０    スプリング
１１    ネジ部
１２    栓体
１４    軸部
１６    脱出防止手段
３８    ロック具
【図１】
2007224957.tif 000003
【図２】
2007224957.tif 000004
【図３】
2007224957.tif 000005
【図４】
2007224957.tif 000006
【図５】
2007224957.tif 000007
【図６】
2007224957.tif 000008
【図７】
2007224957.tif 000009